(57)【特許請求の範囲】
【請求項１】
電気掃除機本体の外郭を形成する本体ケースが共通する種類の異なる複数の電気掃除機において、
第１の種類の電気掃除機は、第２の種類の電気掃除機に比較して吸込仕事率が高く、前記第２の種類の電気掃除機に比較して前記電気掃除機本体の集塵部から前記電気掃除機本体内に配置された電動送風機の吸込口に至るまでの距離が長く、
前記第２の種類の電気掃除機は、前記第１の電気掃除機に比較して排気がきれいで、前記第１の電気掃除機に比較して前記電動送風機からの排気を浄化するフィルタの捕塵率が高く、
各種類の電気掃除機は、前記本体ケースに形成された取り付け開口部に取り付けられ、前記電動送風機からの排気が排出される排気カバーを備え、
前記排気カバーの形状は、電気掃除機の種類に応じて異なり、
前記第２の種類の電気掃除機の前記排気カバーは、前記第１の種類の電気掃除機の前記排気カバーよりも大きいことを特徴とする種類の異なる複数の電気掃除機。
【請求項２】
請求項１において、
前記第２の種類の電気掃除機の前記排気カバーは、前記フィルターが前記本体ケースの取り付け開口部に取り付けられた状態において、前記第１の種類の電気掃除機の前記排気カバーよりも前記電気掃除機本体の後側へ長いことを特徴とする種類の異なる複数の電気掃除機。
【請求項３】
請求項１または請求項２において、
前記第２の種類の電気掃除機の前記フィルターの後端は、前記フィルターが前記本体ケースの取り付け開口部に取り付けられた状態において、前記本体ケースの後端よりも後側に位置することを特徴とする種類の異なる複数の電気掃除機。
【請求項４】
請求項１乃至請求項３の何れかにおいて、
前記第２の種類の電気掃除機の前記フィルターは、前記本体ケースの取り付け開口部から外部へ飛び出して配置され、
前記第２の種類の電気掃除機の前記排気カバーは、前記フィルターを覆うように配置されることを特徴とする種類の異なる複数の電気掃除機。
【請求項５】
電気掃除機本体の外郭を形成する共通の本体ケースを用いて、種類の異なる複数の電気掃除機を製造する電気掃除機の製造方法であって、
第１の種類の電気掃除機は、第２の種類の電気掃除機に比較して吸込仕事率が高く、前記第２の種類の電気掃除機に比較して前記電気掃除機本体の集塵部から前記電気掃除機本体内に配置された電動送風機の吸込口に至るまでの距離が長く、
前記第２の種類の電気掃除機は、前記第１の電気掃除機に比較して排気がきれいで、前記第１の電気掃除機に比較して前記電動送風機からの排気を浄化するフィルタの捕塵率が高く、
各種類の電気掃除機は、前記本体ケースに形成された取り付け開口部に取り付けられ、前記電動送風機からの排気が排出される排気カバーを備え、
前記第２の種類の電気掃除機には、前記第１の種類の電気掃除機の排気カバーよりも大きい排気カバーを取り付けることを特徴とする電気掃除機の製造方法。
【発明の詳細な説明】
【技術分野】
【０００１】
本発明は、電気掃除機本体の外郭を形成する本体ケースが共通する種類の異なる複数の電気掃除機およびその製造方法に関する。
【背景技術】
【０００２】
電動送風機からでる排気音を集塵フィルタで下げる低騒音の電気掃除機、吸引力の強い電動送風機を備えたハイパワー吸塵力の電気掃除機がある。低騒音の電気掃除機は東芝製品（型式ＶＣ−ＰＳ３００Ｘ）、ハイパワー吸塵力の電気掃除機は東芝製品（型式ＶＣ−Ｐ２００Ｄ）である。この異なるタイプの電気掃除機は本体ケースが同じ寸法形状で共通の本体ケースになっているものと思われる。本体ケースの全長は３６７ｍｍである。
【０００３】
上記ハイパワー吸塵力の電気掃除機は、クリーンな排気性能であると同製品のカタログに記載されている。また、電動送風機からの排気中に含まれる微細な塵埃の捕集するＵＬＰＡフィルタ（高集塵フィルタ）を備えたクリーン排気の電気掃除機は既に存在する。
【先行技術文献】
【非特許文献】
【０００４】
【非特許文献１】TOSHIBA  総合カタログ2009-冬号  クリーナー
【発明の概要】
【発明が解決しようとする課題】
【０００５】
東芝製品（型式ＶＣ−ＰＳ３００Ｘ）は、クリーンな排気性能であると同製品のカタログに記載されているが、ＵＬＰＡフィルタ（高集塵フィルタ）に関する記述はない。
【０００６】
しかし、ＵＬＰＡフィルタ（高集塵フィルタ）を搭載すると、高集塵フィルタが収められるサイズアップした大きさに本体ケースを作り換えなければならない。この作り換えにともないクリーン排気性能である電気掃除機とハイパワー吸塵力の電気掃除機とは本体ケース共通化が難しくなる。また、本体ケースの大型化は電気掃除機の小型化に逆行するので好ましくない。
【０００７】
また、ハイパワー吸塵力の電気掃除機には更に強い吸塵力で吸塵する吸込性能の向上が求められている。吸込性能の向上に応えて電動送風機のサイズを大きくすると、本体ケースが大きくなるので小型化に反する。また、クリーン排気性能である電気掃除機との本体ケースの共通化もできなくなるので、電動送風機のサイズを大きくすることなく、または電動送風機をいじらずに吸込性能を上げることが求められている。
【０００８】
本発明は、上記の課題に鑑み、本体ケースをいじらずに本体ケースの共通化を維持し、クリーン排気の電気掃除機の捕集性能の向上と、ハイパワー吸塵力の電気掃除機の吸込性能の向上を図ることを目的とする。
【課題を解決するための手段】
【０００９】
本発明は、電気掃除機本体の外郭を形成する本体ケースが共通する種類の異なる複数の電気掃除機において、第１の種類の電気掃除機は、第２の種類の電気掃除機に比較して吸込仕事率が高く、前記第２の種類の電気掃除機に比較して前記電気掃除機本体の集塵部から前記電気掃除機本体内に配置された電動送風機の吸込口に至るまでの距離が長く、前記第２の種類の電気掃除機は、前記第１の電気掃除機に比較して排気がきれいで、前記第１の電気掃除機に比較して前記電動送風機からの排気を浄化するフィルタの捕塵率が高く、各種類の電気掃除機は、前記本体ケースに形成された取り付け開口部に取り付けられ、前記電動送風機からの排気が排出される排気カバーを備え、前記排気カバーの形状は、電気掃除機の種類に応じて異なり、前記第２の種類の電気掃除機の前記排気カバーは、前記第１の種類の電気掃除機の前記排気カバーよりも大きいことを特徴とする。
【発明の効果】
【００１０】
本発明によれば、本体ケースの取り付け開口部に電気掃除機の種類に応じた排気カバー取り付けることで、本体ケースをいじらずに本体ケースの共通化を維持し、クリーン排気の電気掃除機の捕集性能の向上と、ハイパワー吸塵力の電気掃除機の吸込性能の向上を図ることができる。
【００１１】
また、本発明によれば、本体ケースの取り付け開口部に電気掃除機の種類に応じた排気カバー取り付けるだけで、クリーン排気の電気掃除機とハイパワー吸塵力の電気掃除機の本体ケースの共通化を図っているため、電気掃除機の生産性を向上できる。
【図面の簡単な説明】
【００１２】
【図１】本発明の実施例に係るもので、集塵室外蓋を開いた状態で電気掃除機本体を上から斜視図である。この図はクリーン排気の電気掃除機（Ａタイプ）、およびハイパワー吸塵力の電気掃除機（Ｂタイプ）を共通に示している。
【図２Ａ】本発明の実施例に係るもので、クリーン排気の電気掃除機本体（Ａタイプ）の縦断面図である。
【図２Ｂ】本発明の実施例に係るもので、ハイパワー吸塵力の電気掃除機本体（Ｂタイプ）の縦断面図である。
【図３Ａ】本発明の実施例に係るもので、クリーン排気の電気掃除機本体（Ａタイプ）を後側から見た斜視図である。
【図３Ｂ】本発明の実施例に係るもので、ハイパワー吸塵力の電気掃除機本体（Ｂタイプ）の後側から見た斜視図である。
【図４Ａ】本発明の実施例に係るもので、クリーン排気の電気掃除機本体（Ａタイプ）を上側から見た斜視図である。
【図４Ｂ】本発明の実施例に係るもので、ハイパワー吸塵力の電気掃除機本体（Ｂタイプ）の上側から見た斜視図である。
【図５Ａ】本発明の実施例に係るもので、上本体ケースが外されたクリーン排気の電気掃除機本体（Ａタイプ）を上側から見た斜視図である。
【図５Ｂ】本発明の実施例に係るもので、上本体ケースが外されたハイパワー吸塵力の電気掃除機本体（Ｂタイプ）の上側から見た斜視図である。
【図６Ａ】本発明の実施例に係るもので、排気カバーが外されたクリーン排気の電気掃除機本体（Ａタイプ）を側面から見た斜視図である。
【図６Ｂ】本発明の実施例に係るもので、排気カバーが外されたハイパワー吸塵力の電気掃除機本体（Ｂタイプ）の上側から見た斜視図である。
【図７Ａ】本発明の実施例に係るもので、排気カバーが外されたクリーン排気の電気掃除機本体（Ａタイプ）を後側から見た斜視図である。
【図７Ｂ】本発明の実施例に係るもので、排気カバーが外されたハイパワー吸塵力の電気掃除機本体（Ｂタイプ）の後側から見た斜視図である。
【図８Ａ】本発明の実施例に係るもので、クリーン排気の電気掃除機本体（Ａタイプ）に設ける排気カバーを表側から見た斜視図である。
【図８Ｂ】本発明の実施例に係るもので、ハイパワー吸塵力の電気掃除機本体（Ｂタイプ）に設ける排気カバーを表側から見た斜視図である。
【図９Ａ】本発明の実施例に係るもので、クリーン排気の電気掃除機本体（Ａタイプ）に備わる電動送風機ユニットを上側から見た斜視図である。
【図９Ｂ】本発明の実施例に係るもので、ハイパワー吸塵力の電気掃除機本体（Ｂタイプ）備わる電動送風機ユニットを上側から見た斜視図である。
【図１０Ａ】本発明の実施例に係るもので、クリーン排気の電気掃除機本体（Ａタイプ）に備わる電動送風機ユニットを後側から見た斜視図である。
【図１０Ｂ】本発明の実施例に係るもので、ハイパワー吸塵力の電気掃除機本体（Ｂタイプ）備わる電動送風機ユニットを後側から見た斜視図である。
【図１１Ａ】本発明の実施例に係るもので、クリーン排気の電気掃除機本体（Ａタイプ）に設けた排気カバーから排出する排気の流れを模式的に示した図である。
【図１１Ｂ】本発明の実施例に係るもので、ハイパワー吸塵力の電気掃除機本体（Ｂタイプ）に設けた排気カバーから排出する排気の流れを概略的に示した図である。
【図１２】本発明の実施例に係るもので、クリーン排気の電気掃除機本体（Ａタイプ）に備わる高集塵フィルタから排出された排気が本体ケース内を流れる態様を概略的に示した図である。
【発明を実施するための形態】
【００１３】
本発明の実施形態に係る実施例について、図に沿い以下に説明する。
【００１４】
電気掃除機本体の本体ケース１は、図１に示すように、上本体ケース２、下本体ケース３から構成される。本体ケース１の内部には、前側に集塵室４、後側に電動送風機室が備わる。通気性のある格子状の仕切りで、集塵室４と電動送風機室は仕切られる。
【００１５】
集塵室４には、集塵袋や、サイクロン式の集塵部が着脱自在に備えられる。また、集塵袋や、集塵部に付着した塵埃を除塵する除塵装置も備えられる。集塵室４の前側には、吸い込むホースが着脱自在に接続されるホース差し込み口５が設けられる。上本体ケース２には、集塵室４を開け閉めする集塵室外蓋６が設けられ、この集塵室外蓋６を開いて集塵袋や、集塵部の着脱が行われる。
【００１６】
電動送風機室には、電動送風機ユニットが備えられる。この図１はクリーン排気の電気掃除機本体（Ａタイプ）、およびハイパワー吸塵力の電気掃除機本体（Ｂタイプ）を共通に示している。つまり、クリーン排気の電気掃除機本体（Ａタイプ）とハイパワー吸塵力の電気掃除機本体（Ｂタイプ）とでは、上本体ケース２の形状、大きさ、下本体ケース３の形容、大きさ、集塵室４の形状、大きさ、電動送風機室の形状、大きさが共通である。
【００１７】
次に図２〜図１２を沿い、クリーン排気の電気掃除機（Ａタイプ）、ハイパワー吸塵力の電気掃除機（Ｂタイプ）に関する本体ケースの小型化、共通化、捕集性能、吸込性能等について述べる。
【００１８】
ハイパワー吸塵力の電気掃除機（Ｂタイプ）を第１の種類の電気掃除機と云う。クリーン排気の電気掃除機（Ａタイプ）を第２の種類の電気掃除機と云う。第１の種類の電気掃除機は第２の種類の電気掃除機に比べ、吸込仕事率が高い。吸込仕事率が高いので、第１の種類の電気掃除機をハイパワー吸塵力の電気掃除機（Ｂタイプ）とした。また、第２の種類の電気掃除機は第１の種類の電気掃除機に比べ、排気がきれいで、第１の電気掃除機に比べ、電動送風機からの排気を浄化するフィルタの除塵率が高い。
【００１９】
図２Ａ、図３Ａ、図４Ａ、図５Ａ、図６Ａ、図７Ａ、図８Ａ、図９Ａ、図１０Ａ、図１１１Ａは、クリーン排気の掃除機本体（Ａタイプ）を示す。図２Ｂ、図３Ｂ、図４Ｂ、図５Ｂ、図６Ｂ、図７Ｂ、図８Ｂ、図９Ｂ、図１０Ｂ、図１１Ｂは、ハイパワー吸塵力の掃除機本体（Ｂタイプ）を示す。
【００２０】
図２Ａに示すように、クリーン排気の電気掃除機本体（Ａタイプ）の外郭を形成する本体ケース１Ａは、上本体ケース２Ａ、下本体ケース３Ａから構成される。本体ケース１Ａの内部には、前側に集塵室４Ａ、後側に電動送風機室７Ａが備わる。集塵室４Ａの前側には、吸い込むホースが着脱自在に接続されるホース差し込み口５Ａが設けられる。上本体ケース２Ａには、集塵室４Ａを開け閉めする集塵室外蓋６Ａが設けられ、この集塵室外蓋６Ａを開いて集塵袋１５Ａの着脱が行われる。
【００２１】
通気性のある格子状の仕切り８Ａで、集塵室４Ａと電動送風機室７Ａは仕切られる。電動送風機室７Ａには、電動送風機ユニット９Ａが備えられる。ＵＬＰＡフィルタ（高集塵フィルタ）１０Ａは電動送風機ユニット９Ａに搭載される。ＵＬＰＡフィルタ１０Ａは、略四角形状の枠体に、ひだ状に折られたフィルタ材が一体に成形されたものである。フィルタ材がひだ状に折られているため、ある程度の大きさ（体積）を有する。ＵＬＰＡフィルタに代えて、ＨＥＰＡフィルタであってもよい。ＨＥＰＡフィルタ（High Efficiency Particulate Air Filter）とは、定格風量で粒径が０.３μｍの粒子に対して９９.９７％以上の粒子捕集率をもち、かつ初期圧力損失が２４５Ｐａ以下の性能を持つエアフィルタである。ＵＬＰＡフィルタ（Ultra Low Penetration Air Filter）は、定格風量で粒径が０.１５μｍの粒子に対して９９.９９９５％以上の粒子捕集率をもち、かつ初期圧力損失が２４５Ｐａ以下の性能を持つエアフィルタであり、ＨＥＰＡフィルタの粒子捕集効率よりも高い粒子捕集効率を有する。
【００２２】
電動送風機ユニット９Ａの主要部である電動送風機は、電動機１１Ａ、送風部１２Ａを有する。電動機１１Ａ、送風部１２Ａは電動送風機ハウジングカバー１３Ａで包囲される。電動送風機気密防振パッキング１４Ａは、送風部１２Ａの外周に接合する筒部１４Ａ−１と、送風部１２Ａの前面外周側に接合する環状鍔部１４Ａ−２を有する。
【００２３】
筒部１４Ａ−１は外周側が電動送風機ハウジングカバー１３の内周側に嵌る。このため、筒部１４Ａ−１は送風部１２Ａの外周と電動送風機ハウジングカバー１３Ａの内周に挟持されるので、電動送風機ハウジングカバー１３Ａの気密が良く行われる。また、気密用のテープで電動送風機ハウジングカバー１３Ａの端部と筒部１４Ａ−１の外周が巻かれ気密は更に向上する。
【００２４】
電動送風機ハウジングカバー１３Ａには、電動送風機の排気を高集塵フィルタ１０Ａに流す排気口が設けられる。電動送風機の排気は、もっぱら、その排気口、および高集塵フィルタ１０Ａを通じて電動送風機ユニット９Ａから排出されるので、電動送風機ハウジングカバー１３の内圧は高くなる。この高い内圧に耐えるように、前述した筒部１４Ａ−１を挟持する構造、気密用のテープを巻く構成を採用した。
【００２５】
このように電動送風機からの排気は全部がＵＬＰＡフィルタ（高集塵フィルタ）１０Ａで微細な塵埃をもらさず捕集される。捕塵性能の良いクリーン排気の電気掃除機が提供できる。
【００２６】
図２Ｂに示すように、ハイパワー吸塵力の電気掃除機（Ｂタイプ）について述べる。
【００２７】
ハイパワー吸塵力の電気掃除機本体の外郭を形成する本体ケース１Ｂは、上本体ケース２Ｂ、下本体ケース３Ｂから構成される。この上本体ケース２Ｂ、下本体ケース３Ｂは、前述したクリーン排気の電気掃除機（Ａタイプ）の上本体ケース２Ａ、下本体ケース３Ａと共通である。同一の成型金型で作られた上本体ケースや、下本体ケースがハイパワー吸塵力の電気掃除機（Ｂタイプ）としての上本体ケース２Ｂ、下本体ケース３Ｂや、クリーン排気の電気掃除機（Ａタイプ）としての上本体ケース２Ａ、下本体ケース３Ａとして用いられる。
【００２８】
成型金型の共用化によるコストダウンを図ることができる。また、上本体ケース、下本体ケースの種類低減により部品管理がしやすくなる。
【００２９】
本体ケース１Ｂの内部には、前側に集塵室４Ｂ、後側に電動送風機室７Ｂが備わる。集塵室４Ｂの前側には、吸い込むホースが着脱自在に接続されるホース差し込み口５Ｂが設けられる。上本体ケース２Ｂには、集塵室４Ｂを開け閉めする集塵室外蓋６Ｂが設けられ、この集塵室外蓋６Ｂを開いて集塵袋１５Ｂの着脱が行われる。
【００３０】
通気性のある格子状の仕切り８Ｂで、集塵室４Ｂと電動送風機室７Ｂは仕切られる。電動送風機室７Ｂには、電動送風機ユニット９Ｂが備えられる。このハイパワー吸塵力の電気掃除機（Ｂタイプ）は、高集塵フィルタを備えない。よって、電動送風機からの排気は、排気カバー１７Ｂから排出される。ただし、ＵＬＰＡフィルタ１０Ａよりも小さい、平面状のフィルタを備えていてもよい。
【００３１】
電動送風機ユニット９Ｂの主要部である電動送風機は、電動機１１Ｂ、送風部１２Ｂを有する。電動機１１Ｂ、送風部１２Ｂは、クリーン排気の電気掃除機（Ａタイプ）のものと共通である。
【００３２】
しかし、電動送風機ハウジングカバー１３Ｂは、クリーン排気の電気掃除機（Ａタイプ）のものと非共通で、異なる形状である。電動送風機ハウジングカバー１３Ｂは、図９Ｂ、図１０Ｂに示すように上側ハウジングカバー部材１３Ｂ−１、下側ハウジングカバー部材１３Ｂ−２を抱合わせいて形成している。また、上側ハウジングカバー部材１３Ｂ−１には排気口１３Ｂ−３を設ける。下側ハウジングカバー部材１３Ｂ−２にも排気口１３Ｂ−４を設ける。ハイパワー吸塵力の電気掃除機（Ｂタイプ）では、電動送風機ハウジングカバー１３Ｂに設けた複数の排気口から排気されるので電動送風機ハウジングカバー１３Ｂの排気圧は高くならない。
【００３３】
電子部品を備えた制御基板１６Ｂは電動送風機ハウジングカバー１３Ｂの上側に備える。電動送風機ハウジングカバー１３Ｂには、制御基板１６Ｂの裏側になるところにも排気口が設けられているので、電子部品は排気によって冷却される。
【００３４】
図９Ａ、図１０Ａに示すように、電動送風機ハウジングカバー１３Ａは、電動機１１Ａ、送風部１２Ａの外周側を包む筒部１３Ａ−１、電動機１１Ａの後端側を被う後側部１３Ａ−２を有し、後側部１３Ａ−２の反対側である前側に開口がある一体成型の構造である。そして、電動送風機ハウジングカバー１３Ａの開口には、電動送風機の送風部１２Ａを嵌合し、電動送風機ハウジングカバー１３Ａの上側に搭載するＵＬＰＡフィルタ（高集塵フィルタ）１０Ａのところに通じるところに排気口を設けた。
【００３５】
一体成型の構造で、ＵＬＰＡフィルタ（高集塵フィルタ）１０Ａに通じる排気口しか設けないのは、電動送風機ハウジングカバー１３Ａの密閉性を高め、ＵＬＰＡフィルタ（高集塵フィルタ）１０Ａ以外からの排気漏れをなくすることで捕集性能を高めた。
【００３６】
電子部品を備えた制御基板１６Ａは電動送風機ハウジングカバー１３Ａの後側部１３Ａ−２の背面に備えた。この制御基板１６Ａの排気冷却に関しては後で述べる。
【００３７】
ＵＬＰＡフィルタ（高集塵フィルタ）１０Ａは、図２Ａ、図５Ａ、図９Ａ、図１０Ａに示すように、フィルタ部１０Ａ−１、フィルタケース部１０Ａ−２、フィルタカバー部１０Ａ−３を有し、全体が丈の低い箱型をしている。高集塵フィルタの通気性を確保したり、捕集性能を上げるには、大きくしなければならい。このため、図２Ａに示すように、高集塵フィルタ１０Ａは電動送風機ハウジングカバー１３Ａの後側部１３Ａ−２よりも後方に突出している。突出量の寸法ＬＡ−４は３０ｍｍである。
【００３８】
高集塵フィルタ１０Ａを覆う排気カバー１７Ａは、本体ケース１Ａの後側に取り付けられ、ねじ止めされる。排気カバー１７Ａは高集塵フィルタ１０Ａの突き出しに合わせて中央が外方向に膨れる膨出部１７Ａ−１を有する。図２Ａに示すように、下本体ケース３Ａの後端から膨出部１７Ａ−１までの長さは、ＬＡ−５である。
【００３９】
一方、高集塵フィルタを搭載しない図２Ｂに示す本体ケース１Ｂの後側に取り付けられ、ねじ止めされる排気カバー１７Ｂは前記排気カバー１７Ａと異なり、膨出部１７がない。このため、下本体ケース３Ｂの後端から排気カバー１７Ｂの後端までの長さはＬＢ−５である。排気カバー１７Ａおよび排気カバー１７Ｂには、流れの偏りを低減し、また騒音を低減するために、平面状のスポンジが備えられている。
【００４０】
クリーン排気の電気掃除機は全長ＬＡ−１が３３０ｍｍである。ハイパワー吸塵力の電気掃除機は全長ＬＢ−１が３１３ｍｍである。クリーン排気の電気掃除機もハイパワー吸塵力の電気掃除機も同じ長さの共通の本体ケースを用いているので、ＬＡ−５はＬＢ−５よりも１７ｍｍ長い。排気カバー１７Ａは膨出により、排気カバー１７Ｂよりも後側へ１７ｍｍ大きく突き出ていることになる。つまり、排気カバー１７Ａの後方への膨出が排気カバー１７Ｂよりも大きくなっている。
【００４１】
〔背景技術〕の欄で述べた低騒音の電気掃除機〔（東芝製品（型式ＶＣ−ＰＳ３００Ｘ）〕、ハイパワー吸塵力の電気掃除機〔東芝製品（型式ＶＣ−ＰＳ２００Ｄ）〕は、３６７ｍｍである。これに比べ、本発明の実施例に係るクリーン排気の電気掃除機は全長ＬＡ−１が３３０ｍｍであるので３７ｍｍ短い小型化されたものになっている。本発明の実施例に係るハイパワー吸塵力の電気掃除機にあっては全長ＬＢ−１が３１３ｍｍであるので５４ｍｍ短い小型化されたものになっている。
【００４２】
また、クリーン排気の電気掃除機とハイパワー吸塵力の電気掃除機は電気掃除機本体の外郭の大部分を占める上本体ケース、下本体ケースが共通で、本体ケースより小さな排気カバーだけが形状の違いで非共通の部品になる。
【００４３】
したがって、小さな排気カバーの成型に用いる小さな金型は２種類になるが、上下本体ケースの成型に用いる大きな金型は共用化できるので、コストダウンを図ることができる。
【００４４】
また、ＵＬＰＡフィルタ（高集塵フィルタ）１０Ａを除くと、クリーン排気の電気掃除機とハイパワー吸塵力の電気掃除機には本体ケース内に収まる部品の大きさ、レイアウトには大きな違いがない。共通の本体ケースを用いるクリーン排気の電気掃除機とハイパワー吸塵力の電気掃除機でも、当然、電気掃除機本体の小型化を考慮した部品の大きさ、レイアウトの設計になる。
【００４５】
微細塵の捕集性能を高めるために、電動送風機ユニットにＵＬＰＡフィルタ（高集塵フィルタ）１０Ａを搭載すると、ＵＬＰＡフィルタ（高集塵フィルタ）１０Ａだけが後側に突き出る。この突き出しに対し、本体ケースをいじると（本体ケースの形状を変えると）、ハイパワー吸塵力の電気掃除機との本体ケースの共通化、小型化に影響がでるので、本体ケースをいじらないで、本体ケースを後側に備える排気カバーで対応した。すなわち、クリーン排気用の排気カバーと、ハイパワー吸塵力用の排気カバーをそれぞれ用意することで対処するので、本体ケースはいじらずに済む。ＵＬＰＡフィルタ（高集塵フィルタ）１０Ａを搭載しても本体ケースの共通化、小型化は維持される。
【００４６】
電動送風機気密防振パッキング１４Ａは、図２Ａに示すように、環状鍔部１４Ａ−２が二段になっている。先端側段部の厚みＬＡ−３は６ｍｍである。また、通気性のある格子状の仕切り８Ａから電動送風機の送風部１２Ａに向かって突き出る受台１８Ａは電動送風機気密防振パッキング１４Ａの前面を受け止める。仕切り８Ａから受台１８Ａの先端までの長さＬＡ−２は２０ｍｍである。
【００４７】
電動送風機気密防振パッキング１４Ｂは、図２Ｂに示すように、送風部１２Ｂの外周に接合する筒部１４Ｂ−１と、送風部１２Ｂの前面外周側に接合する環状鍔部１４Ｂ−２を有する。環状鍔部１４Ｂ−２は二段になっている。先端側段部の厚みＬＢ−３は１０ｍｍである。また、通気性のある格子状の仕切り８Ｂから電動送風機の送風部１２Ｂに向かって突き出る受台１８Ｂは電動送風機気密防振パッキング１４Ｂの前面を受け止める。仕切り８Ｂから受台１８Ｂの先端までの長さＬＢ−２は２０ｍｍである。
【００４８】
送風部１２Ｂの吸い込み口の先端と環状鍔部１４Ｂ−２の先端面は面一であるので、仕切り８Ｂと送風部１２Ｂの吸い込み口との間隔は２０ｍｍである。これに対し、クリーン排気の電気掃除機では、仕切り８Ｂと送風部１２Ｂの吸い込み口との間隔は１６ｍｍである。仕切りと送風部の吸い込み口との間隔は、仕切りを集塵部の下流端面と考えると、集塵部と吸い込み口との距離とも云える。
【００４９】
ハイパワー吸塵力の電気掃除機に比べ、クリーン排気の電気掃除機が電動送風機ユニット９Ａを仕切り８Ａに４ｍｍ寄せたのは、ＵＬＰＡフィルタ（高集塵フィルタ）１０Ａの後方への突出量をできるだけ抑えるためである。小型化のためには、電気掃除機本体の全長をおさえなければならないので膨出部１７Ａ−１の膨出を抑えると、排気カバー１７Ａ内の風路が狭くなって排気の流れを阻害する。これらを考慮して電動送風機ユニット９Ａを仕切り８Ａに４ｍｍ寄せたのである。
【００５０】
但し、仕切りと送風部の吸い込み口との間隔を狭めると、電動送風機の吸い込み力は、低下する傾向を示す。これは仕切りの近い領域で発生する乱流の影響が考えられる。
【００５１】
ハイパワー吸塵力の電気掃除機は仕切り８Ｂと送風部の吸い込み口との間隔が２０ｍｍで電動送風機の吸い込み力は、その間隔が１６ｍｍであるクリーン排気の電気掃除機に比べ電動送風機の吸い込み力が強まり、ハイパワー吸塵力を得ることができる。この吸い込み力は、通常の電気掃除機がその間隔を１８ｍｍにしているので、それに比べても強い。
【００５２】
すなわち、ハイパワー吸塵力の電気掃除機は集塵部と送風部の吸い込み口との距離がクリーン排気の電気掃除機に比べて長いので、吸込性能の向上し、クリーン排気の電気掃除機よりも高い吸い込み仕事率になる。
【００５３】
排気カバー１７Ａは、図８Ａに示すように、横幅がＷＡ−２、丈がＨＡ−２である。
図７Ａに示すように、電気掃除機本体の内部を露呈しているところが排気カバーの取り付け開口部１９Ａである。取り付け開口部１９Ａは横幅がＷＡ−１、丈がＨＡ−１である。
【００５４】
排気カバー１７Ｂは、図８Ｂに示すように、横幅がＷＢ−２、丈がＨＢ−２である。
図７Ｂに示すように、電気掃除機本体の内部を露呈しているところが排気カバーの取り付け開口部１９Ｂである。取り付け開口部１９Ａは横幅がＷＢ−１、丈がＨＢ−１である。
【００５５】
ＷＡ−２、ＷＡ−１、ＷＢ−２、ＷＢ−１は、共通の寸法になっている。ＨＡ−２、ＨＡ−１、ＨＢ−２、ＨＢ−１は共通の寸法になっている。このように二種類の排気カバーと、二種類の本体ケースの取り付け開口部は寸法関係が共通になっている。本体ケースがクリーン排気の電気掃除機として組み立てられると、クリーン排気用の排気カバー１７Ａを取り付け開口部１９Ａに取り付ける。本体ケースがハイパワー吸塵力の電気掃除機として組み立てられると、ハイパワー吸塵力用の排気カバー１７Ｂを取り付け開口部１９Ｂに取り付ける。
【００５６】
排気カバー１７Ａは、図１１Ａが示すように、膨出部１７Ａ−１のところに分散排気口１７Ａ−２が設けられる。分散排気口１７Ａ−２より上側のところには、排気カバー１７Ａの幅方向に延びる上側集中排気口１７Ａ−３を設ける。分散排気口１７Ａ−２より下側のところには、排気カバー１７Ａの幅方向に延びる下側集中排気口１７Ａ−４を設ける。
【００５７】
上側集中排気口１７Ａ−３は排気カバー１７Ａの内側に向かって延在するガイド１７Ａ−３Ａ、１７Ａ−３Ｂがある。また、上側集中排気口１７Ａ−３の下位置側吐出口縁には１７Ａ−３Ａを延長する突出ガイド部１７Ａ−３Ｃを有する。これにより、上側集中排気口１７Ａ−３は吐出（空気）するところが突出ガイド部１７Ａ−３Ｃの突出分で段差になっている。
【００５８】
下側集中排気口１７Ａ−４は排気カバー１７Ａの内側に向かって延在する上位置側ガイド１７Ａ−４Ａ、排気カバー１７Ａの内側から外側に向かって延在する下位置側ガイド１７Ａ−４Ｂを有する。上位置側ガイド１７Ａ−４Ａは下位置側ガイド１７Ａ−４Ｂの外側端よりも外側に延びている。これにより、下側集中排気口１７Ａ−４は吐出（空気）するところが上位置側ガイド１７Ａ−４Ａの外側延び分で段差になっている。
【００５９】
また、分散排気口１７Ａ−２、上側集中排気口１７Ａ−３、下側集中排気口１７Ａ−４は、成型用金型の型抜きの関係で並行向きになっている。
【００６０】
さて、図１１Ａに示すように、排気カバー１７Ａの内側で流れる内部排気流１１Ａ−Ｆ１は、分散排気口１７Ａ−２、上側集中排気口１７Ａ−３、下側集中排気口１７Ａ−４から外部排気流１１Ａ−Ｆ２、１１Ａ−Ｆ３、１１Ａ−Ｆ４となって流出する。分散排気口１７Ａ−２、上側集中排気口１７Ａ−３、下側集中排気口１７Ａ−４が前述したように並行向であるので、本来なら外部排気流１１Ａ−Ｆ２、１１Ａ−Ｆ３、１１Ａ−Ｆ４は並行に吹くはず。
【００６１】
しかし、指向性のある強い流れの外部排気流１１Ａ−Ｆ３、１１Ａ−Ｆ４は外部排気流１１Ａ−Ｆ２を間にして先に行くに従い互いが近づくように偏向する流れになる。
【００６２】
これは、前述した上側集中排気口１７Ａ−３の吐出（空気）するところが突出ガイド部１７Ａ−３Ｃの突出分で段差になっていること、および下側集中排気口１７Ａ−４の吐出（空気）するところが上位置側ガイド１７Ａ−４Ａの外側延び分で段差になっていることによる。
【００６３】
一般に流体は壁に寄りそう流れになる。上側集中排気口１７Ａ−３、および下側集中排気口１７Ａ−４から吐出する空気の流れは、上記段差分だけ寄りそう流れ長さが多く、偏向した流れになる。分散排気口１７Ａ−２からの分散流は、先に行くに従いに近づいて行く流れである外部排気流１１Ａ−Ｆ３、１１Ａ−Ｆ４によって一つにまとめられる。
【００６４】
また、排気カバー１７Ｂは、図１１Ｂが示すように、分散排気口１７Ｂ−２と、分散排気口１７Ｂ−２より上側のところに設ける排気カバー１７Ｂの幅方向に延びる上側集中排気口１７Ｂ−３を有する。
【００６５】
上側集中排気口１７Ｂ−３は排気カバー１７Ｂの内側および外側に向かって延在するガイド１７Ｂ−３Ａ、１７Ｂ−３Ｂがある。分散排気口１７Ｂ−２、上側集中排気口１７Ｂ−３は、成型用金型の型抜きの関係で並行向きになっている。
【００６６】
さて、図１１Ｂに示すように、排気カバー１７Ｂの内側で流れる内部排気流１１Ｂ−Ｆ１は、分散排気口１７Ｂ−２、上側集中排気口１７Ｂ−３から外部排気流１１Ｂ−Ｆ２、１１Ｂ−Ｆ３となって流出する。分散排気口１７Ｂ−２、上側集中排気口１７Ｂ−３、が前述したように並行向であるので、本来なら外部排気流１１Ｂ−Ｆ２、１１Ｂ−Ｆ３は並行に吹くはず。
【００６７】
しかし、分散流の外部排気流１１Ｂ−Ｆ２は、指向性のある強い流れの外部排気流１１Ｂ−Ｆ３に誘引されて一つのまとまった流れになる。
【００６８】
クリーン排気の電気掃除機の排気について述べる。
【００６９】
図１２、図２Ａ、図９Ａ、図１０Ａが示すように、電動送風機ユニット９Ａの送風部１２Ａに吸い込まれた空気は電動機１１Ａ内を通り、図２Ａの矢印ＦＡ１、矢印ＦＡ２で示すように、電動送風機ハウジングカバー１３Ａの排気口から排出され、ＵＬＰＡフィルタ（高集塵フィルタ）１０Ａ内を流れる。高集塵フィルタ１０Ａで空気に含まれている微細な塵埃はもらさず除去される。電動機１１Ａから出るカーボンブラシの微細塵までも捕集される。微細塵の捕集により濾過された空気は高集塵フィルタ１０Ａのフィルタ部１０Ａ−１を出てフィルタカバー部１０Ａ−３で案内される。その後、その空気は図１２の矢印ＦＡ３、矢印ＦＡ４、矢印ＦＡ５、矢印ＦＡ６、図２Ａの点線矢印ＦＡ７で示すように、電動送風機ハウジングカバー１３Ａの外側両側面に沿って下流する。
【００７０】
下流した空気は、図２Ａの矢印ＦＡ８、矢印ＦＡ９、矢印ＦＡ１０で示すように上向き流になる。この上向き流れは電動送風機ハウジングカバー１３Ａの後側背面と下本体ケースの間を通る。この上向きの空気流のより、電動送風機ハウジングカバー１３Ａの後側背面に備えた制御基板１６Ａは冷やされる。制御基板１６Ａを冷却した空気は前述したように、排気カバー１７Ａの分散排気口１７Ａ−２、上側集中排気口１７Ａ−３、下側集中排気口１７から排気流となって排気される。
【００７１】
ハイパワー吸塵力の電気掃除機の排気について述べる。
【００７２】
図２Ｂが示すように、電動送風機ユニット９Ｂの送風部１２Ｂに吸い込まれた空気は電動機１１Ｂ内を通り、図２Ｂの矢印ＦＢ１、矢印ＦＢ２で示すように、電動送風機ハウジングカバー１３Ｂの排気口から排出され、電動送風機ハウジングカバー１３Ｂと下本体ケースとの間を矢印ＦＢ３、矢印ＦＢ４で示すように流れる。そして、排気カバー１７Ｂの分散排気口１７Ｂ−２、上側集中排気口１７Ｂ−３から排気流となって排気される。
【００７３】
図６Ａに示すように、クリーン排気の電気掃除機にあって、（高集塵フィルタ）１０Ａが取り付け開口部１９Ａから飛び出している。これに対し、図６Ｂに示すようにハイパワー吸塵力の電気掃除機にあっては、（高集塵フィルタ）１０Ａを搭載しないので内部部品の飛び出しがない。この飛び出しの有無に対し、本体ケースに比べ、小さい部品である排気カバーを２種類用意することで対処するので大きなコスト削減になる。
【００７４】
また、２種類の排気カバーは排気口、後方への膨出の大小による形状を異にしているが、外回りサイズやねじ止めは共通であるので共通の大きさである本体ケースの取り付け開口部に嵌合し、ねじ止めができる。
【符号の説明】
【００７５】
１Ａ…本体ケース
１Ｂ…本体ケース
１０Ａ…高集塵フィルタ
１５Ａ…集塵袋（集塵部）
１５Ｂ…集塵袋（集塵部）
１９Ａ…取り付け開口部
１９Ｂ…取り付け開口部
９Ａ…電動送風機ユニット
９Ｂ…電動送風機ユニット
１７Ａ…排気カバー
１７Ｂ…排気カバー
【図１】
0005156801.tif 000002
【図２Ａ】
0005156801.tif 000003
【図２Ｂ】
0005156801.tif 000004
【図３Ａ】
0005156801.tif 000005
【図３Ｂ】
0005156801.tif 000006
【図４Ａ】
0005156801.tif 000007
【図４Ｂ】
0005156801.tif 000008
【図５Ａ】
0005156801.tif 000009
【図５Ｂ】
0005156801.tif 000010
【図６Ａ】
0005156801.tif 000011
【図６Ｂ】
0005156801.tif 000012
【図７Ａ】
0005156801.tif 000013
【図７Ｂ】
0005156801.tif 000014
【図８Ａ】
0005156801.tif 000015
【図８Ｂ】
0005156801.tif 000016
【図９Ａ】
0005156801.tif 000017
【図９Ｂ】
0005156801.tif 000018
【図１０Ａ】
0005156801.tif 000019
【図１０Ｂ】
0005156801.tif 000020
【図１１Ａ】
0005156801.tif 000021
【図１１Ｂ】
0005156801.tif 000022
【図１２】
0005156801.tif 000023